(57)【要約】【課題】表示装置の前に障害物が存在しても欠けることのない画像を観察者に提供すること。【解決手段】表示画面を有し、前記表示画面を複数方向から見るとき、見る方向に応じて複数種類の画像を同時に表示可能に構成されたマルチビュー表示部と、前記表示部と観察者との間にある障害物の位置を検出する検出部と、前記マルチビュー表示部に前記複数種類の画像として同じ画像を表示させ、前記検出部からの出力を受けて、障害物が観察者の障害にならないように観察者の見る方向の画像を修正して表示させることが可能な表示制御部とを備える表示装置。【選択図】図１４
2014178366.tif 000002
【特許請求の範囲】
【請求項１】
表示画面を有し、前記表示画面を複数方向から見るとき、見る方向に応じて複数種類の画像を同時に表示可能に構成されたマルチビュー表示部と、
前記表示部と観察者との間にある障害物の位置を検出する検出部と、
前記マルチビュー表示部に前記複数種類の画像として同じ画像を表示させ、前記検出部からの出力を受けて、障害物が観察者の障害にならないように観察者の見る方向の画像を修正して表示させることが可能な表示制御部とを備える表示装置。
【請求項２】
マルチビュー表示部が表示画面を右側と左側の２方向から見るとき、見る方向に応じて２種類の画像を同時に表示可能なデュアルビュー表示部である請求項１記載の表示装置。
【請求項３】
マルチビュー表示部が表示画面を右側、正面、および左側の３方向から見るとき、見る方向に応じて３種類の画像を同時に表示可能なトリプルビュー表示部である請求項１記載の表示装置。
【請求項４】
前記マルチビュー表示部に重ねて設けられるタッチパネルをさらに備え、前記表示制御部はタッチパネルから入力される情報に対応する画像を前記表示部に表示させる機能を備える請求項１記載の表示装置。
【請求項５】
前記タッチパネルから情報が入力される間は、前記表示制御部は前記画像の修正を行わないことを特徴とする請求項４記載の表示装置。
【発明の詳細な説明】
【技術分野】
【０００１】
この発明は、表示装置に関し、主にプレゼンテーションに用いる大型の表示装置に関する。
【背景技術】
【０００２】
この発明の背景技術としては、複数の光センサーのいずれかが何等かの遮蔽物により覆われると、各光センサーの検出信号に基づいて、遮蔽物により覆われた表示画面の遮蔽領域を判定し、この遮蔽領域から外れる表示画面の可視領域、つまり表示内容を見ることが可能な可視領域を求め、表示画面が遮蔽物により覆われる以前の表示内容が可視領域に表示されるように、液晶表示パネルの表示画面上で、表示内容を縮小し、縮小された表示内容を可視領域に移動させるようにした表示装置が知られている（例えば、特許文献１参照）。
【先行技術文献】
【特許文献】
【０００３】
【特許文献１】特開２００２−２２９５４６号公報
【発明の概要】
【発明が解決しようとする課題】
【０００４】
大型の表示装置（ディスプレイ）を使用してプレゼンテーションを行う場合に、説明員自身が表示画面の遮蔽物となり、表示画面に対する観察者の視認に障害を与えることがある。この発明はこのような事情を考慮してなされたもので、マルチビュー表示装置を用いて、説明員の存在により見えにくくなる観察者に対してのみ表示を修正して見えやすくするようにした表示装置を提供するものである。
【課題を解決するための手段】
【０００５】
この発明は、表示画面を有し、前記表示画面を複数方向から見るとき、見る方向に応じて複数種類の画像を同時に表示可能に構成されたマルチビュー表示部と、前記表示部と観察者との間にある障害物の位置を検出する検出部と、前記マルチビュー表示部に前記複数種類の画像として同じ画像を表示させ、前記検出部からの出力を受けて、障害物が観察者の障害にならないように観察者の見る方向の画像を修正して表示させることが可能な表示制御部とを備える表示装置を提供するものである。
【発明の効果】
【０００６】
この発明によれば、マルチビュー表示部は、障害物が観察者の障害にならないように観察者の見る方向の画像を修正して表示することができるので、観察者は表示装置の前に障害物が存在しても画像を支障なく見ることができる。
【図面の簡単な説明】
【０００７】
【図１】この発明に係るデュアルビュー液晶ディスプレイの原理説明図である。
【図２】図１に示すデュアルビュー液晶ディスプレイの視野角対相対輝度の一例を示す特性図である。
【図３】この発明に係るトリプルビュー液晶ディスプレイの原理説明図である。
【図４】この発明に係るデュアルビュー液晶ディスプレイを用いた大型表示装置の配置構成図である。
【図５】図４に示す大型表示装置の制御周りのブロック図である。
【図６】図４に示す大型表示装置の動作を示すフローチャートである。
【図７】図４に示す大型表示装置の表示画像の一例を示す説明図である。
【図８】図４に示す大型表示装置と説明員（障害物）との位置関係の一例を示す説明図である。
【図９】図４に示す大型表示装置の表示画像の一例を示す説明図である。
【図１０】図４に示す大型表示装置と説明員（障害物）との位置関係の一例を示す説明図である。
【図１１】図４に示す大型表示装置の表示画像の一例を示す説明図である。
【図１２】この発明に係るトリプルビュー液晶ディスプレイを用いた大型表示装置の配置構成図である。
【図１３】図１２に示す大型表示装置の制御周りのブロック図である。
【図１４】図１２に示す大型表示装置の動作を示すフローチャートである。
【図１５】図１２に示す大型表示装置の表示画像の一例を示す説明図である。
【図１６】図１２に示す大型表示装置と説明員（障害物）との位置関係の一例を示す説明図である。
【図１７】図１２に示す大型表示装置の表示画像の一例を示す説明図である。
【図１８】図１２に示す大型表示装置と説明員（障害物）との位置関係の一例を示す説明図である。
【図１９】図１２に示す大型表示装置の表示画像の一例を示す説明図である。
【図２０】図１２に示す大型表示装置と説明員（障害物）との位置関係の一例を示す説明図である。
【図２１】図１２に示す大型表示装置の表示画像の一例を示す説明図である。
【発明を実施するための形態】
【０００８】
この発明の表示装置は、表示画面を有し、前記表示画面を複数方向から見るとき、見る方向に応じて複数種類の画像を同時に表示可能に構成されたマルチビュー表示部と、前記表示部と観察者との間にある障害物の位置を検出する検出部と、前記マルチビュー表示部に前記複数種類の画像として同じ画像を表示させ、前記検出部からの出力を受けて、障害物が観察者の障害にならないように観察者の見る方向の画像を修正して表示させることが可能な表示制御部とを備えることを特徴とする。
【０００９】
マルチビュー表示部が表示画面を右側と左側の２方向から見るとき、見る方向に応じて２種類の画像を同時に表示可能なデュアルビュー表示部であってもよい。
【００１０】
マルチビュー表示部が表示画面を右側、正面、および左側の３方向から見るとき、見る方向に応じて３種類の画像を同時に表示可能なトリプルビュー表示部であってもよい。
【００１１】
前記マルチビュー表示部に重ねて設けられるタッチパネルをさらに備え、前記表示制御部はタッチパネルから入力される情報に対応する画像を前記表示部に表示させる機能を備えてもよい。
【００１２】
前記タッチパネルから情報が入力される間は、前記表示制御部は前記画像の修正を行わなくてもよい。
【００１３】
以下、図面に示す実施形態に基づいてこの発明を詳述する。
１．マルチビュー表示装置の原理
この発明に係るマルチビュー表示装置としては、デュアルビュー液晶ディスプレイとトリプルビュー液晶ディスプレイを挙げることができる。
【００１４】
［デュアルビュー液晶ディスプレイ］
デュアルビュー液晶ディスプレイは、見る角度により、内容の異なる２種類の画像を同時に表示できる液晶ディスプレイである。基本原理を図１に示す。同図に示すデュアルビュー液晶ディスプレイ１ａで使われるディプレイは特別なものではなく、それには一般的なＴＦＴ液晶を使用することができる。ディスプレイ１ａは表示画素部２ａとスリット部３ａを備える。
【００１５】
表示画素部２ａは、左側用画素ＰＬと右側用画素ＰＲとを交互に備え、左側用および右側用画素ＰＬとＰＲをそれぞれ用いて内容の異なる２種類の映像を横方向に交互に表示し、縦縞模様のように、２種類の画像を表示する。
【００１６】
ここに、「視野バリア」と呼ばれる光の進む方向を制御するスリットを２画面に一つの割合で配置するスリット部３ａを設けることで、左側用映像と右側用映像をそれぞれ分離し、左側観察者Ｌと右側観察者Ｒに対して異なる画像を同時に表示すること、つまり、左側表示画面と右側表示画面を同時に形成することが可能となる。また、左側用と右側用で同じ画像を表示することも可能である。
【００１７】
図２にデュアルビュー液晶ディスプレイ１ａの輝度の角度依存性データ（視野角対相対輝度）の一例を示す。同図２に示すように相対輝度は、左右方向３０度を輝度ピークにして２方向に分離されている。輝度がピークとなる視野角は、用途に応じてスリット部３ａのスリット幅とピッチを変更することにより、調整可能である。また上下方向に画像を分離することも可能である。
【００１８】
［トリプルビュー液晶ディスプレイ］
図３に示すように、トリプルビュー液晶ディスプレイ１ｂではさらに１画像が追加され、３つの異なる画像を同時に表示することを可能にした液晶ディスプレイである。
トリプルビュー液晶ディスプレイ１ｂの構成は、基本的にはデュアルビュー液晶ディスプレイ１ａの構成と類似し、表示画素部２ｂとスリット部３ｂを備える。
【００１９】
デュアルビュー液晶ディスプレイ１ａの表示画素部２ａの場合には、２つの異なる画像を扱うことから左側用および右側用画素ＰＬ，ＰＲを備え、画像を交互に画素列ごとに表示するのに対して、トリプルビュー液晶ディスプレイ１ｂの表示画素部２ｂの場合には図３に示すように、左側用画素ＰＬと正面用画素ＰＣと右側用画素ＰＲとを交互に備え、３つの画像を交互に表示する。
【００２０】
さらに視差バリアを３画素に１つの割合で配置するスリット部３ｂを設けることで、３つの異なる表示を予め定めた方向に、つまり、左側観察者Ｌと正面観察者Ｃと右側観察者Ｒの各方向にそれぞれ分離して表示すること、つまり、左側表示画面と正面表示画面と右側表示画面を形成することができる。
【００２１】
２．デュアルビュー液晶ディスプレイを用いた大型表示装置
図４はこの発明に係るデュアルビュー液晶ディスプレイを用いた大型表示装置の配置構成を示す説明図である。
同図に示すように、プレゼンテーションに用いられる大型表示装置１０ａはデュアルビュー液晶ディスプレイ（図１）を用いたデュアルビュー液晶表示部１１ａと、その前面に設けられペン入力可能なタッチパネル１２ａと、カメラ１３ａとを備える。
【００２２】
そして、大型表示装置１０ａは、同図のように前方左側に位置する左側観察者Ｌと前方右側に位置する右側観察者Ｒによって観察されるように配置される。なお、左側および右側観察者Ｌ，Ｒはその近傍の複数の観察者の代表を表わす。
【００２３】
また、カメラ１３ａはＣＣＤを内蔵し、タッチパネル１２ａの前方右側に設けられ、後述のプレゼンテーションの説明員（障害物）を撮像して、その位置を示すデータを出力するようになっている。また、タッチパネル１２ａは説明員によってペン入力されるデータを出力するようになっている。
【００２４】
図５は図４に示す大型表示装置１０ａの制御周りを示すブロック図である。
同図に示すように、表示制御部１４ａはタッチパネル１２ａとカメラ３ａからの出力を受けてデュアルビュー液晶表示部１１ａに表示データを出力するようになっている。
【００２５】
なお、表示制御部１４ａは、デュアルビュー液晶表示部１１ａとタッチパネル１２ａとカメラ１３ａをそれぞれ駆動する駆動回路と、その駆動回路を制御するマイクロコンピュータを備え、そのマイクロコンピュータはＣＰＵ、ＲＯＭ、ＲＡＭなどから構成される。
【００２６】
ＲＡＭには外部から入力される表示用データや、タッチパネル１２ａおよびカメラ１３ａの出力データなどが格納され、ＲＯＭには制御プログラムなどが格納される。
【００２７】
このような構成における動作を図６に示すフローチャートを用いて説明する。
まず、プレゼンテーション用の画像表示が開始されると、ステップＳ１において、デュアルビュー液晶表示部１１ａは、左側観察者Ｌ用の表示画面、つまり左側表示画面に図７（ａ）に示す通常の画像を表示すると共に、右側観察者Ｒ用の表示画面、つまり右側表示画面に図７（ｂ）に示す通常の画像（図７（ａ）と共通の画像）を表示する。
【００２８】
次に、図８に示すように説明員（遮蔽物）Ｄが、大型表示装置１０ａの前方左側に立って説明するときには（ステップＳ２）、まず、カメラ１３ａによって説明員Ｄが撮像され、その位置が特定される（ステップＳ３）。
【００２９】
そして、説明員Ｄがタッチパネル１２ａに対してペン入力を行わないときには（ステップＳ４）、説明員Ｄの位置に応じた左側および右側表示データが作成され（ステップＳ５）、図９（ａ）に示す画像が左側表示画面に、図９（ｂ）に示す画像が右側表示画面にそれぞれ表示される（ステップＳ６）。
【００３０】
つまり、図８に示すように左側観察者Ｌから見ると説明員Ｄにより画面の左側が遮蔽されるので、それを避けるために左側表示画面には図９（ａ）に示すように縮小された画像が右側に移動して表示される。
一方、右側観察者Ｒから見ると、画面は説明員Ｄによりどこも遮蔽されないので、右側表示画面には図９（ｂ）に示す通常の画像が表示される。
【００３１】
次に、図１０に示すように説明員（遮蔽物）Ｄが、大型表示装置１０ａの前方右側に立って説明するときには（ステップＳ２）、前述のように、カメラ１３ａによって説明員Ｄが撮像され、その位置が特定される（ステップＳ３）。
【００３２】
そして、説明員Ｄがタッチパネル１２ａに対してペン入力を行わないときには（ステップＳ４）、説明員Ｄの位置に応じた左側および右側表示データが作成され（ステップＳ５）、図１１（ａ）に示す画像が左側表示画面に、図１１（ｂ）に示す画像が右側表示画面にそれぞれ表示される。
【００３３】
つまり、図１０に示すように右側観察者Ｒから見て説明員Ｄにより画面の右側が遮蔽されるので、それを避けるために右側表示画面には図１１（ｂ）に示すように縮小された画像が左側に移動して表示される。
一方、左側観察者Ｌから見ると、画面は説明員Ｄによりどこも遮蔽されないので、右側表示画面には図１１（ａ）に示す通常の画像が表示される。
【００３４】
なお、ステップＳ２において、大型表示装置１０ａの前に説明員（遮蔽物）Ｄが存在しないときには、ルーチンはステップＳ１に戻り、左側および右側表示画面にそれぞれ図７の（ａ）と（ｂ）に示す通常の画像が表示される。
【００３５】
また、ステップＳ４において、説明員Ｄがタッチパネル１２ａにペン入力するときは、表示内容が縮小したり移動したりするとタッチペンによる入力が行い難くなる。そこで、タッチペンによる入力中にはルーチンはステップＳ１に戻り、通常の画像表示を行うようにしている。
このようにして、観察者Ｌ，Ｒとその近傍の観察者は、説明員Ｄの位置に関係なく、欠けることのない画像を観ることができる。
【００３６】
３．トリプルビュー液晶ディスプレイを用いた大型表示装置
図１２はこの発明に係るトリプルビュー液晶ディスプレイを用いた大型表示装置の配置構成を示す説明図である。
同図に示すように、プレゼンテーションに用いられる大型表示装置１０ｂはトリプルビュー液晶ディスプレイ（図３）を用いたトリプルビュー液晶表示部１１ｂと、その前面に設けられペン入力可能なタッチパネル１２ｂと、カメラ１３ｂとを備える。
【００３７】
そして、大型表示装置１０ｂは、同図のように前方左側に位置する左側観察者Ｌと前方正面に位置する観察者Ｃと前方右側に位置する右側観察者Ｒによって観察されるように配置される。なお、左側、正面および右側観察者Ｌ，Ｃ，Ｒはその近傍の複数の観察者の代表を表わす。
【００３８】
また、カメラ１３ｂはＣＣＤを内蔵し、タッチパネル１２ｂの前方右側に設けられ、後述のプレゼンテーションの説明員（障害物）を撮像して、その位置を示すデータを出力するようになっている。また、タッチパネル１２ｂは説明員によってペン入力されるデータを出力するようになっている。
【００３９】
図１３は図１２に示す大型表示装置１０ｂの制御周りを示すブロック図である。
同図に示すように、表示制御部１４ｂはタッチパネル１２ｂとカメラ１３ｂからの出力を受けてトリプルビュー液晶表示部１１ｂに表示データを出力するようになっている。
【００４０】
なお、表示制御部１４ｂは、トリプルビュー液晶表示部１１ｂとタッチパネル１２ｂとカメラ１３ｂをそれぞれ駆動する駆動回路と、その駆動回路を制御するマイクロコンピュータを備え、そのマイクロコンピュータはＣＰＵ、ＲＯＭ、ＲＡＭなどから構成される。
【００４１】
ＲＡＭには外部から入力される表示用データや、タッチパネル１２ｂおよびカメラ１３ｂの出力データなどが格納され、ＲＯＭには制御プログラムなどが格納される。
このような構成における動作を図１４に示すフローチャートを用いて説明する。
【００４２】
まず、プレゼンテーション用の画像表示が開始されると、ステップＳ１１において、トリプルビュー液晶表示部１１ｂは、左側観察者Ｌ用の左側表示画面に図１５（ａ）に示す通常の画像を表示し、正面観察者Ｃ用の正面用事画面に図１５（ｂ）に示す通常の画像を表示し、右側観察者Ｒ用の右側表示画面に図１５（ｃ）に示す通常の画像を表示する。
【００４３】
次に、図１６に示すように説明員（遮蔽物）Ｄが、大型表示装置１０ｂの前方左側に立って説明するときには（ステップＳ１２）、まず、カメラ１３ｂによって説明員Ｄが撮像され、その位置が特定される（ステップＳ１３）。
【００４４】
そして、説明員Ｄがタッチパネル１２ｂに対してペン入力を行わないときには（ステップＳ１４）、説明員Ｄの位置に応じた左側、正面および右側表示データが作成され（ステップＳ１５）、図１７（ａ）に示す画像が左側表示画面に、図１７（ｂ）に示す画像が正面表示画面に、図１７（ｃ）に示す画像が右側表示画面にそれぞれ表示される（ステップＳ１６）。
【００４５】
つまり、図１６に示すように、左側観察者Ｌから見ると、説明員Ｄにより画面の左側が遮蔽されるので、それを避けるために左側表示画面には図１７（ａ）に示すように縮小された画像が右側に移動して表示される。
【００４６】
また、正面観察者Ｃから見ると、説明員Ｄにより画面の左側が若干遮蔽されるので、それを避けるために正面表示画面には図１７（ｂ）に示すように若干縮小された画像が若干右側に移動して表示される。
一方、右側観察者Ｒから見ると、画面は説明員Ｄによりどこも遮蔽されないので、右側表示画面には図１７（ｃ）に示す通常の画像が表示される。
【００４７】
次に、図１８に示すように説明員（遮蔽物）Ｄが、大型表示装置１０ａの前方中央正面に立って説明するときには（ステップＳ１２）、前述のように、カメラ１３ｂによって説明員Ｄが撮像されその位置が特定される（ステップＳ１３）。
【００４８】
そして、説明員Ｄがタッチパネル１２ｂに対してペン入力を行わないときには（ステップＳ１４）、説明員Ｄの位置に応じた左側、正面および右側表示データが作成され（ステップＳ１５）、図１９（ａ）に示す画像が左側表示画面に、図１９（ｂ）に示す画像が正面表示画面に、図１９（ｃ）に示す画像が右側表示画面にそれぞれ表示される。
【００４９】
つまり、図１８に示すように左側観察者Ｌから見ると、説明員Ｄにより画面の右側が遮蔽されるので、それを避けるために左側表示画面には図１９（ａ）に示すように縮小された画像が左側に移動して表示される。
【００５０】
また、正面観察者Ｃから見ると、説明員Ｄにより画面の中央が遮蔽されるので、それを避けるために正面表示画面には図１９（ｂ）に示すように若干縮小された画像が左右に分離して表示される。
【００５１】
また、右側観察者Ｒから見ると説明員Ｄにより画面の左側が遮蔽されるので、それを避けるために右側表示画面には図１９（ｃ）に示すように縮小された画像が右側に移動して表示される。
【００５２】
次に、図２０に示すように説明員（遮蔽物）Ｄが、大型表示装置１０ｂの前方左側に立って説明するときには（ステップＳ１２）、前述のように、カメラ１３ｂによって説明員Ｄが撮像され、その位置が特定される（ステップＳ１３）。
【００５３】
そして、説明員Ｄがタッチパネル１２ｂに対してペン入力を行わないときには（ステップＳ１４）、説明員Ｄの位置に応じた左側、正面および右側表示データが作成され（ステップＳ１５）、図２１（ａ）に示す画像が左側表示画面に、図２１（ｂ）に示す画像が正面表示画面に、図２１（ｃ）に示す画像が右側表示画面に、それぞれ表示される。
【００５４】
つまり、図２０に示すように、左側観察者Ｌから見ると、画面は説明員Ｄによりどこも遮蔽されないので、図２１（ａ）に示すように通常の画像が表示される。
また、図２０に示すように正面観察者Ｃから見ると、説明員Ｄにより画面の右側が若干遮蔽されるので、それを避けるために正面表示画面には図２１（ｂ）に示すように若干縮小された画像が左側に移動して表示される。
【００５５】
また、図２０に示すように、右側観察者Ｒから見ると、説明員Ｄ１により画面の右側が遮蔽されるので、それを避けるために右側表示画面には図１１（ｃ）に示すように縮小された画像が左側に移動して表示される。
【００５６】
なお、ステップＳ１２において、大型表示装置１０ｂの前に説明員（遮蔽物）Ｄが存在しないときには、ルーチンはステップＳ１１に戻り、左側、正面および右側表示画面にそれぞれ図１５の（ａ），（ｂ），（ｃ）に示す通常の画像が表示される。
【００５７】
また、ステップＳ１４において、説明員Ｄがタッチパネル１２ａにペン入力するときは、表示内容が縮小したり移動し立ちするとタッチペンによる入力が行い難くなる。そこで、タッチペンによる入力中にはルーチンはステップＳ１１に戻り、図１５に示す通常の画像を表示するようにしている。
【００５８】
このようにして、観察者Ｌ，Ｃ，Ｒおよびその近傍の観察者は、説明員Ｄの位置に関係なく、欠けることのない画像を観ることができる。なお、図８（ａ）、図１０（ｂ）、図１７（ａ）、（ｂ）、図１９（ａ）、（ｂ）、（ｃ）図２１（ｂ）、（ｃ）などにおいて画像は縦横が同じ比率で縮小されているが、横のみを縮小してもよい。
【符号の説明】
【００５９】
１ａ    デュアルビュー液晶ディスプレイ
１ｂ    トリプルビュー液晶ディスプレイ
２ａ，２ｂ    表示画素部
３ａ，３ｂ    スリット部
ＰＬ    左側用画素
ＰＲ    右側用画素
ＰＣ    正面用画素
Ｌ    左側観察者
Ｒ    右側観察者
Ｃ    正面観察者
１０ａ，１０ｂ    大型表示装置
１１ａ    デュアルビュー液晶表示部
１１ｂ    トリプルビュー液晶表示部
１２ａ，１２ｂ    タッチパネル
１３ａ，１３ｂ    カメラ
Ｄ    障害物（説明員）
１４ａ，１４ｂ    表示制御部
【図１】
2014178366.tif 000003
【図２】
2014178366.tif 000004
【図３】
2014178366.tif 000005
【図４】
2014178366.tif 000006
【図５】
2014178366.tif 000007
【図６】
2014178366.tif 000008
【図７】
2014178366.tif 000009
【図８】
2014178366.tif 000010
【図９】
2014178366.tif 000011
【図１０】
2014178366.tif 000012
【図１１】
2014178366.tif 000013
【図１２】
2014178366.tif 000014
【図１３】
2014178366.tif 000015
【図１４】
2014178366.tif 000016
【図１５】
2014178366.tif 000017
【図１６】
2014178366.tif 000018
【図１７】
2014178366.tif 000019
【図１８】
2014178366.tif 000020
【図１９】
2014178366.tif 000021
【図２０】
2014178366.tif 000022
【図２１】
2014178366.tif 000023